(57)【要約】      （修正有）【課題】簡単に取り付けることができ、全体の形状、構造をシンプルかつ頑丈にした屋根上物品取付具を提供する。【解決手段】屋根上物品取付具１は、一組の挟着部材１０、２０を用いて、屋根上に突出したボルト体Ｂに挟着し、固定される構造とされ、挟着部材１０、２０のそれぞれは、ボルト体Ｂの軸部Ｂ１に螺合するねじ部２１ｂが内面に形成された挟着凹部１１ａ、２１ａを先端に備えた挟着片１１、２１と、相互に重ね合わせ、固定具で固定することで両挟着片１１、２１の先端同士を突合せ状態に近接させるようにした固定片１２、２２とを有した構成とされ、挟着片１１、２１を突き合わせて形成される挟着凹部１１ａ、２１ａ同士の結合による開口が、突合せ方向の径を短径とした略楕円形状に形成されてなる。【選択図】図１
2014025252.tif 000002
【特許請求の範囲】
【請求項１】
一組の挟着部材を用いて、屋根上に突出したボルト体を挟着し、固定される構造とした屋根上物品取付具であって、
前記挟着部材のそれぞれは、前記ボルト体の軸部に螺合するねじ部が内面に形成された挟着凹部を先端に備えた挟着片と、相互に重ね合わせ、固定具で固定することで両挟着片の先端同士を突合せ状態に近接させるようにした固定片とを有した構成とされ、
前記挟着片を突き合わせて形成される前記挟着凹部同士の結合による開口が、突合せ方向の径を短径とした略楕円形状に形成されてなることを特徴とする屋根上物品取付具。
【請求項２】
請求項１において、
前記挟着部材の一方には屋根上物品を載置固定する台座部が形成され、両挟着部材の固定片が前記台座部の端部の下方に配されており、
前記固定片にはボルト挿通孔が開設されており、締付ボルトを該ボルト挿通孔に前記台座部に略平行に挿通して締付ナットで螺合固定するようにしてなることを特徴とする屋根上物品取付具。
【請求項３】
請求項１または２において、
載置片と、ボルト挿通孔を有した起立片とよりなる略Ｌ字状の支持体をさらに備えており、
前記載置片を屋根上に載置し、前記起立片を前記締付ボルトとナットとで前記固定片に固定するようにしてなることを特徴とする屋根上物品取付具。
【発明の詳細な説明】
【技術分野】
【０００１】
本発明は、屋根上に突出したボルト体に挟着固定する構成とした屋根上物品取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類（屋根上物品）を配設することが実施されており、従来には、各種機器・部材類を屋根上に取り付けるための種々の屋根上物品取付具が提案されている（例えば、特許文献１、２参照）。
【０００３】
特許文献１、２に記載された屋根は、山部と谷部とが交互に連続してなる波形屋根における山部の頂部で、隣接する屋根材同士を重ねてなる重合部をボルト体とナットの螺着によって連結、固定する重ね式連結構造となっている。そして、その波形屋根に取り付けられる屋根上物品取付具は、屋根材の重合部を波形屋根の下方より貫通して屋根上に突出した、屋根材連結のためのボルト体の軸部を、先端が相対向する挟着片で挟み込むことで設置できるようになっている。
【０００４】
具体的には、これらの屋根上物品取付具は、略門形に形成され、その両脚片を横方向に貫通する緊締用ボルトおよび緊締用ナットで両脚片を緊締して、両脚片のそれぞれの下端から対向するように延びた両挟着片がボルト体を挟着する構造となっている。挟着片の先端がボルト体のネジ溝に食い込んだ状態で係止、固定されるので、屋根上物品取付具は容易に外れることなく屋根上にしっかりと固定される。
【先行技術文献】
【特許文献】
【０００５】
【特許文献１】特開２０１２−４６９４１号公報
【特許文献２】特開２０１２−４６９４２号公報
【発明の概要】
【発明が解決しようとする課題】
【０００６】
しかしながら、特許文献１の屋根上物品取付具は１部材よりなる略門形の挟着具よりなるため、手作業による緊締作業には力を要し、そのため取付作業を迅速に行うことはできない。
【０００７】
また、特許文献２のものは、緊締作業をすこしでも効率的に行えるように、比較的薄めの金属板体を折曲加工して形成されているため、先端部をなんら加工しない挟着片ではボルト体を堅固に挟着することはできず、そのため挟着片の先端部には切り起こし、切欠きなどの加工により形成された係止部が設けられている。つまり、全体として複雑な形状となっており、製造コストがかかるおそれがある。また、係止部などの細かな部位は経年により欠損する可能性も高い。
【０００８】
本発明は、このような事情を考慮して提案されたもので、その目的は、簡単に取り付けることができ、全体の形状、構造をシンプルかつ頑丈にした屋根上物品取付具を提供することにある。また、様々な径のボルト体に対して挟着できるようにすることも本発明の目的とする。
【課題を解決するための手段】
【０００９】
上記目的を達成するために、請求項１に記載の屋根上物品取付具は、一組の挟着部材を用いて、屋根上に突出したボルト体に挟着し、固定される構造とした屋根上物品取付具であって、挟着部材のそれぞれは、ボルト体の軸部に螺合するねじ部が内面に形成された挟着凹部を先端に備えた挟着片と、相互に重ね合わせ、固定具で固定することで両挟着片の先端同士を突合せ状態に近接させるようにした固定片とを有した構成とされ、挟着片を突き合わせて形成される挟着凹部同士の結合による開口が、突合せ方向の径を短径とした略楕円形状に形成されてなることを特徴とする。
【００１０】
請求項２に記載の屋根上物品取付具は、挟着部材の一方には屋根上物品を載置固定する台座部が形成され、両挟着部材の固定片が台座部の端部の下方に配されており、固定片にはボルト挿通孔が開設されており、締付ボルトを該ボルト挿通孔に台座部に略平行に挿通して締付ナットで螺合固定するようにしてなることを特徴とする。
【００１１】
請求項３に記載の屋根上物品取付具は、載置片と、ボルト挿通孔を有した起立片とよりなる略Ｌ字状の支持体をさらに備えており、載置片を屋根上に載置し、起立片を締付ボルトとナットとで固定片に固定するようにしてなることを特徴とする。
【発明の効果】
【００１２】
請求項１に記載の屋根上物品取付具によれば、上述の構成となっているため、屋根上での取付操作を効率よく行うことができる。また、ねじ部を有した挟着凹部のボルト体に対する螺合により屋根に固定される構造であるため、複雑な構造、形状とはなり得ず、構造、形状をシンプルにすることができ、製造コストを低減化できる。さらに、切り起こしや切欠きなどによる加工された部位のないシンプルな形状とすることができるため、欠損するおそれもほとんどない。
【００１３】
また、挟着片を突き合わせて形成される挟着凹部同士の結合による開口が、突合せ方向の径を短径とした略楕円形状となっているので、種々の径のボルト体に挟着部材を固定することができる。
【００１４】
請求項２に記載の屋根上物品取付具によれば、挟着部材の一方には台座部が形成されているため、たとえば遮熱シートを固定するための溝形フレームや、その溝形フレームを固定するためのフレーム取付具など、種々の屋根上物品を台座部に安定的に載置して固定することができる。また、締付ボルトを台座部に略平行に取り付ける構成であるため、屋根上物品を台座部に設置した状態でも締付ボルトの調整を行うことができる。
【００１５】
請求項３に記載の屋根上物品取付具によれば、載置片と、ボルト挿通孔を有した起立片とよりなる略Ｌ字状の支持体で両挟着部材を支持する構成であるため、両挟着部材を常時安定した状態に維持することができる。
【図面の簡単な説明】
【００１６】
【図１】本発明の一実施形態に係る屋根上物品取付具を含む屋根上物品取付構造の分解斜視図である。
【図２】同屋根上物品取付具の両挟着部材の説明図であり、（ａ）は一方の挟着部材の正面図、（ｂ）は他方の挟着部材の正面図、（ｃ）は挟着片の先端部同士の突合せ状態を示した拡大部分平面図、（ｄ）は径小なボルト体を挟着した状態の拡大部分平面図、（ｅ）は径大なボルト体を挟着した状態の拡大部分平面図である。
【図３】同屋根上物品取付具に取り付けられるフレーム取付具の説明図であり、（ａ）はフレーム取付具の締め付け前の状態を示す正面図、（ｂ）は同締め付け後の状態を示す正面図、（ｃ）は同側面図、（ｄ）は同平面図である。
【図４】同屋根上物品取付具の屋根への取付手順を示す部分縦断面図である。
【図５】同屋根上物品取付具の屋根への取付状態を示す部分縦断面図である。
【図６】同屋根上物品取付具の屋根への取付状態を示す側面図である。
【図７】（ａ）（ｂ）は屋根上物品の取付手順を示す部分縦断面図である。
【図８】屋根上物品(溝形フレームと遮熱シート)の取付状態を示す側面図である。
【図９】屋根上物品(溝形フレームと遮熱シート)の取付状態を示す部分縦断面図である。
【図１０】同屋根上物品取付具の他の使用態様を示す部分縦断面図である。
【発明を実施するための形態】
【００１７】
以下に、本発明の実施の形態について、添付図面を参照しながら説明する。
【００１８】
フレーム取付具４０に取り付ける溝形フレーム２は、複数のフレーム取付具４０、４０に架設される長尺のものであり（図８参照）、溝開口２ａの幅寸法が底部２ｂの幅寸法よりも小さい、両側壁２ｃが内側に傾斜した形状のものが用いられる。
【００１９】
フレーム取付具４０に取り付ける溝形フレーム２は溝形状をなし、溝開口２ａの幅寸法が底部２ｂの幅寸法よりも小さい、両側壁２ｃが内側に傾斜した形状のものが用いられる。
【００２０】
この屋根上物品取付構造が適用される波形屋根としては、図例として示した折板屋根Ｙ（角波形屋根）や丸波形屋根が挙げられる。また、屋根の素材としては、金属や合成樹脂、セメント系等のものが適用できる。なお、屋根上物品取付具１の取付対象は波形屋根に限定されず、平板屋根であってもよい。
【００２１】
図例として示した折板屋根Ｙは、山部Ｙ１と谷部Ｙ２とが交互に連続する屋根であって、複数の折板屋根材を側端縁の山部Ｙ１の頂部Ｙ１ａで重合し、その重合部でボルト体ＢとナットＣ１の螺着によって連結した重ね式連結構造となっている。
【００２２】
このナットＣ１は、図例においては、その下方の山状の座金Ｃ２とともに座金部Ｃを構成している。座金Ｃ２は、ボルト孔からの水の浸入を防止するための防水パッキンＣ３を覆っている。なお、座金部Ｃは、図例のような座金Ｃ２を含まず螺着用のナットＣ１のみで構成してもよい。
【００２３】
また、折板屋根Ｙの裏側には、正面視で折板屋根Ｙと略同形状をなす、ボルト止めのための支持金具Ｙ３が取り付けられている。折板屋根Ｙはこの支持金具Ｙ３に支持される。なお、屋根上物品取付具１を取り付けるためのボルト体Ｂの取付位置は、隣接する折板屋根材の重合部に限らず、他の頂部Ｙ１ａに支持金具Ｙ３を用いてボルト体Ｂを取り付けてもよい。
【００２４】
この屋根上物品取付具１は、図２（ａ）（ｂ）に示すように、形状の異なる２片の挟着部材１０、２０を組み合わせてなる。
【００２５】
図例では、一方の挟着部材（第１挟着部材１０）は、ボルト体Ｂの軸部Ｂ１に螺合するねじ部２１ｂが内面に形成された挟着凹部２１ａを先端に備えた挟着片２１と、挟着片１１の基端部より起立して延びた脚部１３と、脚部１３の上端部より挟着片１１に略平行に、かつ同方向に延びた台座部１４と、台座部１４の他の端部より下方に延び、ボルト挿通孔１２ａを有した固定片１２とを備えてなり、全体が、正面視で右下角部が欠けた口の字形状に形成されている。台座部１４の略中央には、フレーム取付具４０をリベット止めするための固定孔１４ａが開設されている。
【００２６】
また、他方の挟着部材（第２挟着部材２０）は、ボルト体Ｂの軸部Ｂ１に螺合するねじ部２１ｂが内面に形成された挟着凹部２１ａを先端に備えた挟着片２１と、ボルト挿通孔２２ａを有した固定片２２とを備えてなり、全体が略Ｌ字形状に形成されている。
【００２７】
これらの第１、第２挟着部材１０、２０は、挟着片１１、２１の先端同士を突合せ状態に近接させ、固定片１２、２２同士を重ね合わせ、両ボルト挿通孔１２ａ、２２ａに締付ボルト２５（固定具）を挿通し、その締付ボルト２５を締付ナット２６（固定具）で固定することで挟着凹部１１ａ、２１ａ同士がボルト体Ｂを挟着する構造となっている。なお、固定具として締付ボルト２５、締付ナット２６の代わりにリベットを用いてもよい。
【００２８】
図１に示すように、締付ボルト２５は第１挟着部材１０の内面側より外方に向けて挿通し、締付ナット２６は第２挟着部材２０の外面側に取り付けることが作業効率上好ましい。また、締付ボルト２５は、図４に示すように根角ボルトとするか、挿通した後に頭部を溶接等で固定するか、第１挟着部材１０の固定片１２の内面に回り止めを設けるなどして、ナット止めによる供回りが起こらないようにすることが望ましい。
【００２９】
また、第１挟着部材１０の固定片１２の外面と、第２挟着部材２０の固定片２２の内面とは相互に接触する部位であり、ボルト体Ｂに固定する際に相互に滑らないように、またボルト体Ｂに固定後に、ずれなどが発生しないように、それらの面には梨地などの凹凸を設けることが望ましい。
【００３０】
挟着凹部１１ａ、２１ａの凹部形状は、図２（ｃ）のように両挟着凹部１１ａ、２１ａがわずかな隙間を介して近接したときに両挟着凹部１１ａ、２１ａが結合して略円形をなし、挟着片１１、２１の先端同士が接触したときに両挟着凹部１１ａ、２１ａが結合して略楕円形状をなすように、湾曲した凹部形状となっている。
【００３１】
このように、挟着凹部１１ａ、２１ａを略半楕円形状とすることで、屋根上物品取付具１を、図２（ｄ）のような径小なボルト体Ｂにも、図２（ｅ）のような径大なボルト体Ｂにも対応させて取り付けることができる。
【００３２】
この屋根上物品取付具１にはさらに、図１に示すように、略Ｌ字形状の支持体３０を取り付けて屋根上に固定することが望ましい。
【００３３】
支持体３０は、屋根上に載置される載置片３１と、ボルト挿通長孔３２ａを有した起立片３２とよりなり、第２挟着部材２０の固定片２２の外面側に、ボルト挿通孔１２ａ、２２ａに挿通された締付ボルト２５と締付ナット２６の間に締め付け固定されるようになっている。
【００３４】
このような屋根上物品取付具１の台座部１４には、溝形フレーム２を設置するためのフレーム取付具４０が固定される（図１および図３参照）。
【００３５】
このフレーム取付具４０は、屋根上物品取付具１の台座部１４に載置固定される平板状の固定部４１と、固定部４１の両端より向かい合って上方に延び、ボルト軸孔４２ａ、４２ａを有した緊締用起立片４２、４２とを備えてなる。固定部４１の略中央には、屋根上物品取付具１の台座部１４にリベット止めするための固定孔４１ａが開設されている。
【００３６】
緊締用起立片４２の両側端には、他方の緊締用起立片４２側に延びた突出片４３、４３が形成されている。突出片４３は、その上部において、さらに突出した、溝形フレーム２を固定するための押圧部４３ａを備えている。
【００３７】
両緊締用起立片４２、４２は上部が相互に遠ざかるようにやや開いており、両緊締用起立片４２、４２のボルト軸孔４２ａ、４２ａに挿通された緊締用ボルト４５と、緊締用ナット４６とを螺合、螺進することで、両緊締用起立片４２、４２の上部が相互に近づくように構成されている（図３（ａ）（ｂ）参照）。
【００３８】
緊締用ボルト４５の頭部４５ａが配される一方の緊締用起立片４２の外面のボルト軸孔４２ａの両側には、緊締用ナット４６を緊締用ボルト４５に螺合して緊締する際に緊締用ボルト４５が供回りしないように、回り止め片４２ｂが設けられている。
【００３９】
屋根上物品取付具１と、フレーム取付具４０とは、図１に示すように、屋根上物品取付具１の締付ボルト２５の軸部と、フレーム取付具４０の緊締用ボルト４５の軸部が同方向を向くように、リベット５で固定される。
【００４０】
なお、屋根上物品取付具１は、屋根上に取り付ける前に、緊締用起立片４２、４２が開いた状態のフレーム取付具４０と上記のように仮止め状態に一体化しておけばよく、さらに支持体３０も仮止めしておいてもよい。
【００４１】
このように仮固定状態の屋根上部物品取付具１と、それに連結された状態にあるフレーム取付具４０とは、次の手順で折板屋根Ｙの頂部Ｙ１ａに固定される。
【００４２】
すなわち、まず、締付ボルト２５と締付ナット２６とで仮止め状態にした屋根上物品取付具１を、頂部Ｙ１ａより突出したボルト体Ｂの上方から、両挟着凹部１１ａ、２１ａが隙間を介して向かい合ってできた開口を通じてボルト体Ｂを嵌挿するようにして、頂部Ｙ１ａの上に載せ置く（図４参照）。このとき、仮止めしていた支持体３０については、その載置片３１が、起立片３２のボルト挿通長孔３２ａで高さ調節されて頂部Ｙ１ａの上面に設置される。
【００４３】
つぎに、仮止め状態にしていた締付ボルト２５に締付ナット２６をさらに締め付けることで、両挟着片１１、２１の先端が互いに近接し、同時に両挟着凹部１１ａ、２１ａも互いに近接し、両挟着凹部１１ａ、２１ａがボルト体Ｂの軸部Ｂ１を挟持し、挟着凹部１１ａ、２１ａのねじ部１１ｂ、２１ｂがボルト体Ｂのネジ溝に食い込んで、屋根上物品取付具１が支持体３０に支持された状態で折板屋根Ｙに固定される（図５および図６参照）。
【００４４】
こうして、屋根上物品取付具１は、その台座部１４にフレーム取付具４０を取り付けた状態で折板屋根Ｙのボルト体Ｂに固定される。
【００４５】
このように、この屋根上物品取付具１によれば、締付ボルト２５、締付ナット２６による締め付けによって、屋根上物品取付具１およびフレーム取付具４０を簡単にボルト体Ｂに固定することができる。また、ねじ部１１ｂ、２１ｂを有した挟着凹部１１ａ、２１ａのボルト体Ｂに対する螺合だけで固定される構造であるため、屋根上物品取付具１は複雑な構造、形状とはなり得ず、構造、形状をシンプルにすることができ、製造コストを低減化できる。さらに、切り起こしや切欠きなどによる加工された部位のないシンプルな形状とすることができるため、欠損するおそれもほとんどない。
【００４６】
特に、挟着部材１０、２０を厚肉に形成すれば、挟着凹部１１ａ、２１ａをボルト体Ｂの軸部Ｂ１にしっかりと螺合させることができる。また、本実施形態のように支持体３０で補助するようにすれば、さらに安定的に固定することができる。
【００４７】
また、挟着片１１、２１を突き合わせて形成される挟着凹部１１ａ、２１ａ同士の結合による開口が、突合せ方向の径を短径とした略楕円形状となっているので、種々の径のボルト体Ｂに挟着部材１０、２０を固定することができる。
【００４８】
また、本実施形態のものは、締付ボルト２５を台座部１４に略平行に取り付ける構成となっているため、屋根上物品を台座部１４に設置した状態でも締付ボルト２５と締付ナット２６との締付調整を行うことができる。
【００４９】
なお、締付ボルト２５および締付ナット２６で締め付け固定する固定片１２、２２が、挟着部材１０、２０の他の種々の部位に形成されたものとしてもよい。
【００５０】
つぎに、溝形フレーム２のフレーム取付具４０への取付構造および遮熱シート４の取付構造について、図７〜図９を参照しながら説明する。
【００５１】
まず、溝形フレーム２を、複数のフレーム取付具４０に架設するように、開いた状態にある緊締用起立片４２、４２間の空間に挿入して、挿通された緊締用ボルト４５の軸部４５ｂに載せ置く。
【００５２】
この状態で、緊締用ボルト４５と緊締用ナット４６との螺合により両緊締用起立片４２、４２を緊締することで、両緊締用起立片４２、４２の上部が相互に近づき、突出片４３、４３の押圧部４３ａ、４３ａで溝形フレーム２の側壁２ｃ、２ｃを押圧して溝形フレーム２を固定する。このように溝形フレーム２は、その溝開口２ａがフレーム取付具４０の上端よりも上方に突出した状態で、屋根上物品取付具１に固定されたフレーム取付具４０に固定される（図７（ｂ）参照）。
【００５３】
こうして、複数のフレーム取付具４０、４０に対して、溝形フレーム２を固定することができる（図８参照）。
【００５４】
このように、このフレーム取付具４０によれば、緊締用起立片４２、４２を緊締するだけで溝形フレーム２を固定することができ、屋根上でのフレーム取付作業を迅速に効率的に行うことができる。また、溝形フレーム２は、緊締用ボルト４５の軸部４５ｂにより下方から支持されるので、緊締用起立片４２、４２間の空間内で全体がしっかりと固定される。
【００５５】
また、両緊締用起立片４２、４２を緊締用ボルト４５と緊締用ナット４６で緊締するだけの簡易な固定構造であるため、屋根上で簡単に作業できるし、多数の部品を用いる必要もなく、フレーム取付具４０自体の製造コストもかからない。さらに、溝形フレーム２をビス止めによらず固定できる構成であるため、ビス止めによる切粉は発生し得ず、切粉による錆の発生のおそれも当然にない。
【００５６】
図９に示すように、折板屋根Ｙの頂部Ｙ１ａの形成方向に沿って複数の（屋根上物品取付具１に取り付けられた）フレーム取付具４０、４０、４０が配設され、それによって複数の溝形フレーム２、２、２が併設され、それらの併設された複数の溝形フレーム２、２、２間に跨るように遮熱シート４が張設される。
【００５７】
遮熱シート４は各溝形フレーム２の溝内に固定され、その上にはフレームカバー３が取り付けられる。
【００５８】
以上に示した実施形態では、屋根上物品取付具１に、フレーム取付具４０を介して溝形フレーム２を固定する構造を示したが、その他の種々の屋根上物品を台座部１４の上に配設することもできる。
【００５９】
たとえば、図１０に示すように、屋根上物品取付具１の台座部１４に溝形フレーム２を直接リベット５やボルト、ねじ等で固定するようにしてもよい。
【００６０】
このように、本屋根上物品取付具１は頂部Ｙ１ａの上面に略平行で平坦な台座部１４を備えた構成であるため、種々の屋根上物品を他の部材を用いなくても直接、安定した状態に設置、固定することができる。特に、溝形フレーム２などのように底部２ｂが平坦なものを設置するのに好適に利用できる。
【００６１】
図１０について、屋根上物品取付具１の各部、屋根上物品取付具１のボルト体Ｂに対する挟着構造および支持体３０の支持構造は図１に示した実施形態と同様であるため、同一の符号を付して、その説明は省略する。
【符号の説明】
【００６２】
１          屋根上物品取付具
２          溝形フレーム
２ａ        溝開口
２ｂ        底部
２ｃ        側壁
１０        第１挟着部材（挟着部材）
１１        挟着片
１１ａ      挟着凹部
１１ｂ      ねじ部
１２        固定片
１２ａ      ボルト挿通孔
１３        脚部
１４        台座部
１４ａ      固定孔
２０        第２挟着部材（挟着部材）
２１        挟着片
２１ａ      挟着凹部
２１ｂ      ねじ部
２２        固定片
２２ａ      ボルト挿通孔
２５        締付ボルト
２６        締付ナット
３０        支持体
３１        載置片
３２        起立片
３２ａ      ボルト挿通長孔
４０        フレーム取付具
４１        固定部
４１ａ      固定孔
４２        緊締用起立片
４２ａ      ボルト軸孔
４２ｂ      回り止め片
４３        突出片
４３ａ      押圧部
４５        緊締用ボルト
４５ａ      頭部
４５ｂ      軸部
４６        緊締用ナット
Ｙ          折板屋根
Ｂ          ボルト体
Ｂ１        軸部
【図１】
2014025252.tif 000003
【図２】
2014025252.tif 000004
【図３】
2014025252.tif 000005
【図４】
2014025252.tif 000006
【図５】
2014025252.tif 000007
【図６】
2014025252.tif 000008
【図７】
2014025252.tif 000009
【図８】
2014025252.tif 000010
【図９】
2014025252.tif 000011
【図１０】
2014025252.tif 000012